(57)【特許請求の範囲】
【請求項１】
テンションリールに金属帯を巻き取る金属帯巻取方法であって、前記テンションリールは、径方向に拡縮可能なマンドレルと、前記マンドレルの外周に設けられるとともに前記金属帯が巻きつけられるゴムスリーブとを有しており、
前記ゴムスリーブの外周に前記金属帯が１回巻きつけられた後であって２回巻きつけられる前に、前記マンドレルを拡径して前記金属帯の巻取始端を前記ゴムスリーブに埋め込ませることを含み、
前記ゴムスリーブの外周に前記金属帯が２回巻きつけられた際に、前記金属帯に作用する張力を弱め、該張力を前記ゴムスリーブの外周に前記金属帯が所定数巻きつけられるまで維持する
ことを特徴とする金属帯巻取方法。
【請求項２】
前記巻取始端を前記ゴムスリーブに埋め込ませる際に前記金属帯に作用させる張力は、前記金属帯を前記所定数巻きつけた後に前記金属帯に作用させる張力よりも強く、
前記ゴムスリーブの外周に前記金属帯が２回巻きつけられてから前記所定数巻きつけるまでの間前記金属帯に作用させる張力は、前記所定数巻きつけた後に前記金属帯に作用させる張力よりも弱い
ことを特徴とする請求項１記載の金属帯巻取方法。
【請求項３】
前記金属帯は、板厚が１ｍｍ以上の鋼帯であることを特徴とする請求項１又は請求項２に記載の金属帯巻取方法。
【発明の詳細な説明】
【技術分野】
【０００１】
本発明は、テンションリールに金属帯を巻き取る金属帯巻取方法に関する。
【背景技術】
【０００２】
従来用いられていたこの種の金属帯巻取方法としては、例えば下記の特許文献１等に示されている方法を挙げることができる。すなわち、従来方法では、マンドレルと、マンドレルの外周に設けられたゴムスリーブとを有するテンションリールを用いて、ゴムスリーブの外周に金属帯を巻きつけることが行われている。ゴムスリーブは、金属帯の巻取時に緩衝材として機能し、巻取始端の上に重ねて巻きつけられた金属帯に巻取始端が押し当てられることで生じるエンドマークの発生を軽減している。
【先行技術文献】
【特許文献】
【０００３】
【特許文献１】実開平７−２１２０７号公報
【発明の概要】
【発明が解決しようとする課題】
【０００４】
上記のような従来方法では、ゴムスリーブを用いてエンドマークの発生を軽減しようとしているが、実際には相応の長さに渡って金属帯にエンドマークが生じてしまう。このようなエンドマークは、板厚が１ｍｍ以上の金属帯を巻き取った際に特に発生する。
【０００５】
本発明は、上記のような課題を解決するためになされたものであり、その目的は、エンドマークをより確実に軽減できる金属帯巻取方法を提供することである。
【課題を解決するための手段】
【０００６】
本発明に係る金属帯巻取方法は、テンションリールに金属帯を巻き取る金属帯巻取方法であって、テンションリールは、径方向に拡縮可能なマンドレルと、マンドレルの外周に設けられるとともに金属帯が巻きつけられるゴムスリーブとを有しており、ゴムスリーブの外周に金属帯が１回巻きつけられた後であって２回巻きつけられる前に、マンドレルを拡径して金属帯の巻取始端をゴムスリーブに埋め込ませることを含み、ゴムスリーブの外周に金属帯が２回巻きつけられた際に、金属帯に作用する張力を弱め、該張力をゴムスリーブの外周に金属帯が所定数巻きつけられるまで維持する。
【発明の効果】
【０００７】
本発明の金属帯巻取方法によれば、ゴムスリーブの外周に金属帯が１回巻きつけられた後であって２回巻きつけられる前に、マンドレルを拡径して金属帯の巻取始端をゴムスリーブに埋め込ませるので、巻取始端をゴムスリーブに埋め込ませた後に巻取始端が金属帯に強く押し当てられることを回避でき、エンドマークをより確実に軽減できる。
【図面の簡単な説明】
【０００８】
【図１】本発明の実施の形態による金属帯巻取方法に用いるテンションリールを示す説明図である。
【図２】本発明の実施の形態による金属帯巻取方法を示す説明図である。
【発明を実施するための形態】
【０００９】
以下、本発明を実施するための形態について、図面を参照して説明する。
図１は、本発明の実施の形態による金属帯巻取方法に用いるテンションリールを示す説明図である。図において、テンションリール１は、マンドレル１０と、ゴムスリーブ１１とを有している。マンドレル１０は、図示しない駆動手段により回転駆動される。また、マンドレル１０は、周知のように径方向に拡縮可能に構成されている。ゴムスリーブ１１は、ゴム製の筒状部材であり、マンドレル１０の外周に取り付けられている。金属帯２は、ゴムスリーブ１１の外周に巻きつけられる。マンドレル１０の回転トルクが制御されることで、テンションリール１にて金属帯２に作用される張力（Ｔ／Ｒ張力）が制御される。金属帯２としては、様々な板厚及び様々な材料のものを用いることができる。
【００１０】
次に、図２は、本発明の実施の形態による金属帯巻取方法を示す説明図である。図２の上段はＴ／Ｒ張力の切り替えタイミングを示し、図２の下段はマンドレル１０の拡縮状態の切り替えタイミングを示している。本実施の形態の金属帯巻取方法は、Ｔ／Ｒ張力とマンドレル１０の拡縮状態とを所定のタイミングでそれぞれ切り替えることで、エンドマークの発生を軽減しようとしている。
【００１１】
切り替えられるＴ／Ｒ張力としては、通常張力、強張力及び弱張力が設けられている。通常張力は、ゴムスリーブ１１の外周に金属帯２を所定数（本実施の形態では４回）巻きつけた後に、金属帯２の巻きつけが終了するまで用いられる張力である。ここでいう所定数とは、ゴムスリーブ１１の外周への金属帯２の巻きつけが十分に進行して、金属帯２の巻取始端２ａ（図１参照）の上に重ねられた金属帯２に巻取始端２ａが押し当てられることでエンドマークが発生する恐れが小さくなっている巻数である。強張力は通常張力よりも例えば２割程度強い張力であり、弱張力は通常張力よりも例えば２割程度弱い張力である。
【００１２】
切り替えられるマンドレル１０の拡縮状態としては、縮状態、中拡状態及び拡状態が設けられている。縮状態は、マンドレル１０が径方向に最も縮められている状態である。拡状態は、マンドレル１０が径方向に最も拡げられた状態である。中拡状態は、縮状態と拡状態との中間の状態である。
【００１３】
本実施の形態の金属帯巻取方法では、金属帯２の巻取を開始時に、Ｔ／Ｒ張力を強張力とするとともに、マンドレル１０を中拡状態とする。Ｔ／Ｒ張力を強張力とするのは、金属帯２をゴムスリーブ１１により密着させるためである。一方、マンドレル１０を中拡状態とするのは、マンドレル１０が縮状態とされているときのゴムスリーブ１１の外径よりも巻取後の金属帯コイルの内径を広くして、ゴムスリーブ１１の外周から金属帯コイルを容易に抜き取ることができるようにするためである。
【００１４】
その次に、ゴムスリーブ１１の外周に金属帯２が１回巻きつけられた後であって２回巻きつけられる前、本実施の形態では１．５巻の段階で、マンドレル１０を拡径する（マンドレル１０の拡縮状態を中拡状態から拡状態に切り替える）。ゴムスリーブ１１の外周に金属帯２が１回巻きつけられた後には、巻取始端２ａの上に金属帯２が巻きつけられている。この状態でマンドレル１０を拡径することにより、マンドレル１０の拡径に伴う巻取始端２ａの外径側への移動を巻取始端２ａの上に重ねられた金属帯２によって制限し、巻取始端２ａをゴムスリーブ１１に埋め込む。金属帯２の巻数が大きくなるほど巻取始端２ａの上に多くの金属帯２が存在することになる。マンドレル１０を拡径するタイミングを金属帯２が２回巻きつけられる前としているのは、巻取始端２ａをゴムスリーブ１１に埋め込む際に圧力を受ける金属帯２の領域を狭くするためである。
【００１５】
Ｔ／Ｒ張力が強張力とされとともにマンドレル１０が拡状態とされている状態は、ゴムスリーブ１１の外周に金属帯２が２回巻きつけられるまで維持される。これにより、巻取始端２ａをゴムスリーブ１１により確実に埋め込む。
【００１６】
その次に、ゴムスリーブ１１の外周に金属帯２が２回巻きつけられた際に、金属帯２に作用する張力を弱める（Ｔ／Ｒ張力を弱張力とする）。この状態は、ゴムスリーブ１１の外周に金属帯２が所定数巻きつけられるまで維持される。上述のように、所定数とは、ゴムスリーブ１１の外周への金属帯２の巻きつけが十分に進行して、金属帯２の巻取始端２ａ（図１参照）の上に重ねられた金属帯２に巻取始端２ａが押し当てられることでエンドマークが発生する恐れが小さくなっている巻数である。このように金属帯２が所定数巻きつけられるまでＴ／Ｒ張力を弱張力とすることで、巻取始端２ａの上に重ねられた金属帯２に巻取始端２ａが押し当てられる力を低減して、エンドマークを薄くしている（段差ぼかし）。
【００１７】
このような金属帯巻取方法では、ゴムスリーブ１１の外周に金属帯２が１回巻きつけられた後であって２回巻きつけられる前に、マンドレル１０を拡径して金属帯２の巻取始端２ａをゴムスリーブ１１に埋め込ませるので、巻取始端２ａをゴムスリーブ１１に埋め込ませた後に巻取始端２ａが金属帯２に強く押し当てられることを回避でき、エンドマークの発生をより確実に軽減できる。この構成は、エンドマークが発生しやすい状況、すなわち板厚が１ｍｍ以上の鋼帯を巻き取る際に特に有用である。
【００１８】
また、ゴムスリーブ１１の外周に金属帯２が２回巻きつけられた際に、金属帯２に作用する張力を弱め、その張力をゴムスリーブ１１の外周に金属帯２が所定数巻きつけられるまで維持するので、巻取始端２ａの上に重ねて巻きつけられた金属帯２に巻取始端２ａが押し当てられる力を低減でき、エンドマークをより確実に軽減できる。
【００１９】
また、巻取始端２ａをゴムスリーブ１１に埋め込ませる際に金属帯２に作用させる張力（強張力）は、ゴムスリーブ１１の外周に金属帯２を所定数巻きつけた後に金属帯２に作用させる張力（通常張力）よりも強く、ゴムスリーブ１１の外周に金属帯２が２回巻きつけられてから所定数巻きつけるまでの間金属帯２に作用させる張力（弱張力）は、所定数巻きつけた後に金属帯２に作用させる張力（通常張力）よりも弱いので、より確実にゴムスリーブ１１への巻取始端２ａの埋め込むことができるとともに、巻取始端２ａの上に重ねて巻きつけられた金属帯２に巻取始端２ａが押し当てられる力をより確実に低減できる。
【符号の説明】
【００２０】
１  テンションリール
１０  マンドレル
１１  ゴムスリーブ
２  金属帯
２ａ  巻取始端
【図１】
0006373106.tif 000002
【図２】
0006373106.tif 000003